【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
空気の状態から得られる感覚を目標として居室の空気の質を調整する空気環境調整装置であって、
前記空気環境調整装置の本体は、空気を吸い込む吸込口と、前記吸込口から吸い込んだ空気を居室に吹き出す吹出口と、前記吸込口から前記吹出口に向けて空気流を発生させる送風機と、前記吸込口から前記吹出口の間に備えた空気の状態を変化させるための空気状態変化装置と、前記居室内をセンシングするためのセンサーと、前記居室内の使用者に報知するための報知部と、使用者が操作して前記目標を定める操作部と、前記目標に基づいて前記送風機と前記空気状態変化装置と前記報知部とをコントロールする制御部と、を備え、
前記制御部は、前記センサーと前記操作部からの信号を取得できる取得手段と、
前記操作部から前記目標の信号を受信した時から時間計測を開始する計時手段と、
前記取得手段の信号と対応づけた前記送風機と前記空気状態変化装置の物理制御値、および前記センサーの入力値から参照される前記目標の達成度合い、および前記空気の質の変化に対して人が変化を知覚できるまでの遅延時間の情報を格納した記憶手段と、
前記取得手段の信号と前記情報から前記物理制御値と前記達成度合いを算出する処理手段と、
前記処理手段の信号に基づき前記送風機と前記空気状態変化装置と前記報知部へ動作を指示する指示手段と、を備え、
前記処理手段は、前記目標の達成度合いの時系列的な変化から算出した目標の達成時間と、前記遅延時間を合算して、前記目標を知覚する時刻を推測し、推測した時刻に到達すると、前記指示手段を介して、前記報知部を作動させることを特徴とする空気環境調整装置。
【請求項２】
前記指示手段は、前記達成度合いの増加に応じて前記報知部の出力値を増加させ、前記目標の信号を受信した時から報知させ続けることを特徴とする請求項１に記載の空気環境調整装置。
【請求項３】
前記空気状態変化装置は、空気の温度、湿度、ＣＯ２濃度、香料濃度のうち少なくとも１つを変化させる装置であって、前記遅延時間は香料濃度、温度、湿度、ＣＯ２濃度の順に長くなることを特徴とする請求項１または２に記載の空気環境調整装置。
【請求項４】
前記指示手段は、前記目標を達成するまでの過程に対応して段階的に変化する表現を少なくとも２つ備え、前記目標の達成度合いに応じて段階的に前記報知部から発信させることを特徴とする請求項１から３のいずれか一項に記載の空気環境調整装置。
【手続補正２】
【補正対象書類名】明細書
【補正対象項目名】０００８
【補正方法】変更
【補正の内容】
【０００８】
そして、この目的を達成するために、本発明は、空気の状態から得られる感覚を目標として居室の空気の質を調整する空気環境調整装置であって、空気環境調整装置の本体は、空気を吸い込む吸込口と、吸込口から吸い込んだ空気を居室に吹き出す吹出口と、吸込口から吹出口に向けて空気流を発生させる送風機と、吸込口から吹出口の間に備えた空気の状態を変化させるための空気状態変化装置と、居室内をセンシングするためのセンサーと、居室内の使用者に報知するための報知部と、使用者が操作して目標を定める操作部と、目標に基づいて送風機と空気状態変化装置と報知部とをコントロールする制御部と、を備え、制御部は、センサーと操作部からの信号を取得できる取得手段と、操作部から目標の信号を受信した時から時間計測を開始する計時手段と、取得手段の信号と対応づけた送風機と空気状態変化装置の物理制御値、およびセンサーの入力値から参照される目標の達成度合い、および空気の質の変化に対して人が変化を知覚できるまでの遅延時間の情報を格納した記憶手段と、取得手段の信号と情報から物理制御値と達成度合いを算出する処理手段と、処理手段の信号に基づき送風機と空気状態変化装置と報知部へ動作を指示する指示手段と、を備え、処理手段は、目標の達成度合いの時系列的な変化から算出した目標の達成時間と、遅延時間を合算して、目標を知覚できる時刻を推測し、推測した時刻に到達すると、指示手段を介して、報知部を作動させるという構成を有するものであり、これにより所期の目的を達成するものである。
【手続補正３】
【補正対象書類名】明細書
【補正対象項目名】００１１
【補正方法】変更
【補正の内容】
【００１１】
特に、処理手段は、所定時刻において、目標の達成度合いの時系列的な変化から算出した目標の達成時間と、遅延時間とを合算して、目標の達成が感じられる時刻を推測し、推測した時刻に到達すると、指示手段を介して、報知部を作動させることで、使用者が空気環境調整装置から享受すべき感覚を実感できるという効果を得ることができる。
【手続補正４】
【補正対象書類名】明細書
【補正対象項目名】００１３
【補正方法】変更
【補正の内容】
【００１３】
本発明に係る空気環境調整装置は、空気の状態から得られる感覚を目標として居室の空気の質を調整する空気環境調整装置であって、空気環境調整装置の本体は、空気を吸い込む吸込口と、吸込口から吸い込んだ空気を居室に吹き出す吹出口と、吸込口から吹出口に向けて空気流を発生させる送風機と、吸込口から吹出口の間に備えた空気の状態を変化させるための空気状態変化装置と、居室内をセンシングするためのセンサーと、居室内の使用者に報知するための報知部と、使用者が操作して目標を定める操作部と、目標に基づいて送風機と空気状態変化装置と報知部とをコントロールする制御部と、を備え、制御部に
は、センサーと操作部からの信号を取得できる取得手段と、操作部から目標の信号を受信した時から時間計測を開始する計時手段と、取得手段の信号と対応づけた送風機と空気状態変化装置の物理制御値、およびセンサーの入力値から参照される目標の達成度合い、および空気の質の変化に対して人が変化を知覚できるまでの遅延時間の情報を格納した記憶手段と、取得手段の信号と情報から物理制御値と達成度合いを算出する処理手段と、処理手段の信号に基づき送風機と空気状態変化装置と報知部へ動作を指示する指示手段と、を備え、処理手段は、目標の達成度合いの時系列的な変化から算出した目標の達成時間と、遅延時間を合算して、目標を知覚できる時刻を推測し、推測した時刻に到達すると、指示手段を介して、報知部を作動させるという構成を有する。
【手続補正５】
【補正対象書類名】明細書
【補正対象項目名】００１５
【補正方法】変更
【補正の内容】
【００１５】
特に、処理手段は、所定時刻において、目標の達成度合いの時系列的な変化から算出した目標の達成時間と、空気の状態の変化に係わる前記遅延時間とを合算して、目標の達成が感じられる時刻を推測し、推測した時刻に到達すると、指示手段を介して、報知部を作動させることで、使用者が空気環境調整装置から享受すべき感覚を実感できるという効果を得ることができる。
【手続補正６】
【補正対象書類名】明細書
【補正対象項目名】００１６
【補正方法】変更
【補正の内容】
【００１６】
また、本発明に係る空気環境調整装置では、指示手段は、達成度合いの増加に応じて報知部の出力値を増加させ、目標の信号を受信した時から報知させ続けるものである。
【手続補正７】
【補正対象書類名】明細書
【補正対象項目名】００１８
【補正方法】変更
【補正の内容】
【００１８】
また、本発明に係る空気環境調整装置では、空気状態変化装置は、空気の温度、湿度、ＣＯ２濃度、香料濃度のうち少なくとも２つを変化させる装置であって、遅延時間は香料濃度、温度、湿度、ＣＯ２濃度の順に長くなるものである。
【手続補正８】
【補正対象書類名】明細書
【補正対象項目名】００２０
【補正方法】変更
【補正の内容】
【００２０】
また、本発明に係る空気環境調整装置では、指示手段は、目標を達成するまでの過程に対応して段階的に変化する表現を少なくとも２つ備え、目標の達成度合いに応じて段階的に報知部から発信させることを特徴とするものである。
【手続補正９】
【補正対象書類名】明細書
【補正対象項目名】００２４
【補正方法】変更
【補正の内容】
【００２４】
図１に示すように、この空気環境調整装置１は、居室２内の空気環境を調整する装置であり、使用者Ｕｓが居室２内の空気の状態から得られる感覚を目標として操作を行なうことで、空気環境調整装置１を設置した居室２の空気の質を調整し、使用者Ｕｓに所望の感覚（例えば、空気のしっとり感）を実感しやすく提供するものである。使用者Ｕｓは、長時間居室２内に居ると空気の状態変化に気づきにくくなるので、特にそのような場合に有益なものと考える。
【手続補正１０】
【補正対象書類名】明細書
【補正対象項目名】００３９
【補正方法】変更
【補正の内容】
【００３９】
計時手段２４は、操作部５から目標の指令として信号を受信した時から時間計測を開始するものである。
【手続補正１１】
【補正対象書類名】明細書
【補正対象項目名】００４０
【補正方法】変更
【補正の内容】
【００４０】
記憶手段２９は、取得手段２３の信号と対応づけた送風機１５と空気状態変化装置１６の物理制御値、およびセンサー８の入力値から参照される目標の達成度合い、および空気の状態の変化に対して人が変化を知覚するまでの遅延時間のそれぞれを情報として格納したものである。例えば、図５に示すような温度と、湿度と、目標（「とてもしっとり」、「ややしっとり」、「しっとり」）とを対応づけたもの、あるいは、図９に示すような温度と、ＣＯ２濃度と、目標とを対応付けたものである。
【手続補正１２】
【補正対象書類名】明細書
【補正対象項目名】００４１
【補正方法】変更
【補正の内容】
【００４１】
処理手段３０は、取得手段２３の信号と上記した情報から物理制御値と目標の達成度合いを算出するものである。
【手続補正１３】
【補正対象書類名】明細書
【補正対象項目名】００４３
【補正方法】変更
【補正の内容】
【００４３】
上記構成において、使用者Ｕｓが居室２の空気について、しっとりした感覚（しっとり感）を得たい場合に、例えば、操作部５において、「とてもしっとり」と表示された操作ボタンを押すことになる。
【手続補正１４】
【補正対象書類名】明細書
【補正対象項目名】００４４
【補正方法】変更
【補正の内容】
【００４４】
このような所望の感覚を目標として操作をすると、目標の指令としての信号が操作部５から空気環境調整装置１本体のリモコン受信部１０に送信され、さらに制御部１７へ信号が送られる。制御部１７は、目標の指令としての信号（以下、目標の信号とする）を取得し、同時にセンサー８から居室２内の空気の状態を取得する。続いて、制御部１７は、センサー８から取得した信号（空気の状態）から、物理制御値を定め、物理制御値に基づいて送風機１５と、空気状態変化装置１６を作動させる。
【手続補正１５】
【補正対象書類名】明細書
【補正対象項目名】００４８
【補正方法】変更
【補正の内容】
【００４８】
例えば、操作部５から「とてもしっとり」という目標の信号を取得手段２３が受信すると、最新の居室２内の現在の温湿度の信号とともに、処理手段３０に目標の信号が送信される。処理手段３０は、それらの信号から、時刻ｔ=０として温湿度の信号を記憶手段２９に保存する。また、処理手段３０は、目標の信号を受信すると、計時手段２４の作動を開始させる（ステップ１）。なお、計時手段２４は、所定の時間間隔で処理手段３０に信号を送ることができ、本実施の形態では単位時間である所定の時間間隔を１分に設定している。
【手続補正１６】
【補正対象書類名】明細書
【補正対象項目名】００５０
【補正方法】変更
【補正の内容】
【００５０】
ここで、処理手段３０は目標の信号の「とてもしっとり」に対応付けた物理制御値を計算する。例えば、２２℃の空気環境の場合は、物理制御値である相対湿度は５６％である。物理制御値を算出した後、処理手段３０は、物理制御値を指示手段３１に信号を送り、指示手段３１は、それに基づいて送風機１５と空気状態変化部９を動作させる（ステップ２）。
【手続補正１７】
【補正対象書類名】明細書
【補正対象項目名】００５２
【補正方法】変更
【補正の内容】
【００５２】
すなわち、１００[％]÷（５６[％]−４０[％]）×（５０[％]−４０[％]）＝６２％、となる。
【手続補正１８】
【補正対象書類名】明細書
【補正対象項目名】００５５
【補正方法】変更
【補正の内容】
【００５５】
本実施の形態においては、「とてもしっとり」の達成度は、図６の（ア）の色温度の段階的な変化に対応付けられており、ここでの達成度合いが６２％である場合は、報知部９に備えた発光体で４０００Ｋの色温度を出力する。
【手続補正１９】
【補正対象書類名】明細書
【補正対象項目名】００６５
【補正方法】変更
【補正の内容】
【００６５】
まず、観測されている湿度変化速度として、
（４３[％]−４０[％]）÷（１[ｔ]−０[ｔ]）＝３[％／Δｔ]、と計算できる。
【手続補正２０】
【補正対象書類名】明細書
【補正対象項目名】００６６
【補正方法】変更
【補正の内容】
【００６６】
次に、目標の湿度に到達するまで必要な時間は、
（５６[％]−４０[％]）÷３[％／Δｔ]＝５．３[ｔ]、単位時間を１分としているので５．５［分］と推測できる。
【手続補正２１】
【補正対象書類名】明細書
【補正対象項目名】００７３
【補正方法】変更
【補正の内容】
【００７３】
指示部３１は、達成度合いが１００％であることから、対応付けられた出力を報知部９に指示する。本実施形態では、達成度１００％においては、２０００Ｋの色温度で出力は１０Ｗとしているので、それに基づいて報知部９を作動させ、目標の「とてもしっとり」に到達したことを使用者Ｕｓに伝えることとなる(ステップ１２)。その後、運転を終了する。
【手続補正２２】
【補正対象書類名】明細書
【補正対象項目名】００７６
【補正方法】変更
【補正の内容】
【００７６】
同上の構成において、使用者Ｕｓが空気について、さわやか感を得たいと場合に、操作部５の「とてもさわやか」と表示された操作ボタンを押すことになる。
【手続補正２３】
【補正対象書類名】明細書
【補正対象項目名】００８７
【補正方法】変更
【補正の内容】
【００８７】
すなわち、１００[％]÷（１０００[ｐｐｍ]−１９００[ｐｐｍ]）×（１５００[ｐｐｍ]−１９００[ｐｐｍ]）≒４４[％]、となる。
【手続補正２４】
【補正対象書類名】明細書
【補正対象項目名】００９２
【補正方法】変更
【補正の内容】
【００９２】
ステップ１〜４のプロセスが完了した後に、計時手段２４に予め設定された所定時間が経過していない場合は、図８のように（ａ）に戻る。経過している場合は、計時手段から
処理手段３０へ信号が送られる。処理手段３０は、この信号によって、取得手段２３からセンサー８の信号を収集する。センサー８からは所定時間間隔で最新の居室２内の温度とＣＯ２濃度の信号を受信して、取得手段２３内には常に最新の居室２の温度とＣＯ２濃度が記録されているので、ＣＯ２濃度の信号を収集し、時刻ｔ=１として、温度とＣＯ２濃度の信号を記憶手段２９に保存する（ステップ６）。
【手続補正２５】
【補正対象書類名】明細書
【補正対象項目名】００９４
【補正方法】変更
【補正の内容】
【００９４】
また、処理手段３０は、その時点での温度とＣＯ２濃度の信号をさわやか感の達成度合いへ対応付けを行い、達成度合いを算出する。続けて、達成度合いに基づき指示手段３１を介して、報知部９を作動させて、対応付けられた発光体の色温度と、出力値に基づいて報知部９に指令を出す（ステップ８）。
【手続補正２６】
【補正対象書類名】明細書
【補正対象項目名】００９７
【補正方法】変更
【補正の内容】
【００９７】
まず、観測されているＣＯ２濃度の変化速度として、
（１８００[％]−１９００[％]）÷（１[ｔ]−０[ｔ]）＝−１００[％/Δｔ]、が計算できる。次に、目標のＣＯ２濃度に到達するまで必要な時間は、
（１０００[％]−１９００[％]）÷（−１００）[％/Δｔ]＝９[ｔ]、単位時間を１分としているので９［分］と推測できる。
【手続補正２７】
【補正対象書類名】明細書
【補正対象項目名】００９８
【補正方法】変更
【補正の内容】
【００９８】
更に遅延時間を算出する。「とてもさわやか」の場合、操作する物理制御値はＣＯ２濃度である。一般的に温度が高いほどＣＯ２濃度が知覚されやすい。一例として２０℃のときの遅延時間が６０分、２５℃のときの遅延時間を４５分と設定し、線形的に２２℃における遅延時間を下記のように見積もることができる。
（６０[分]−４５[分]）÷（２５[℃]−２０[℃]）×（２２[℃]−２０[℃]）＝１０[分]
目標が達成されるまでの時間が９分であり、遅延時間が１０分であるため、
９[分]÷１[分／Δｔ]＋１０[分]÷１[分／Δｔ]＝１９[ｔ]
すなわち、目標達成が知覚できると推測されるまでの時間は１９分となる。
現在時刻ｔ＝１であるので、時刻にすると時刻ｔ＝２０に達した時に目標達成が知覚できるものと推測される。
【手続補正２８】
【補正対象書類名】明細書
【補正対象項目名】０１１８
【補正方法】変更
【補正の内容】
【０１１８】
本発明によれば、処理手段は、目標の達成度合いの時系列的な変化から算出した目標の達成時刻と、空気の質の変化に対して人が変化を知覚できるまでの遅延時間を合算して、
目標を知覚できる時刻を推測し、推測した時刻に到達すると、指示手段を介して、報知部を作動させるという構成にした。これにより、操作部で空気の状態から得られる感覚を目標として定めると、取得手段に入力され、センサーの入力値とともに、処理手段が記憶手段から物理制御値および目標達成度合いを算出して送風機と空気状態変化装置と報知部の動作をさせることとなる。
【手続補正２９】
【補正対象書類名】明細書
【補正対象項目名】０１１９
【補正方法】変更
【補正の内容】
【０１１９】
特に、処理手段は、目標の達成度合いの時系列的な変化から算出した目標の達成時刻と、使用者が空気の状態の変化を知覚できるまでの遅延時間とを合算して、目標の達成が感じられる時刻を推測し、推測した時刻に到達すると、指示手段を介して、報知部を作動させることで、使用者が空気環境調整装置から享受すべき感覚を実感できるという効果を得ることができる。